(57)【要約】  案内標識と経路案内の矛盾による事故リスクを低減できること。経路案内プログラムは、コンピュータ（２００）に以下の各処理を実行させる。コンピュータは、入力された目的地から経路と目的地の住所とを抽出する。コンピュータは、車両の現在位置に基づき目的地までに通過する経路上の分岐地点についての案内標識を特定する。コンピュータは、記憶部に分岐地点に対応付けた案内標識と案内標識に含まれる各進路に対応付けた地名とを記憶する。コンピュータは、記憶部を参照して、分岐地点について経路から特定される第一の進路と、目的地の住所の地名と一致する案内標識に表示された地名に対応する第二の進路とが合致する場合に第一の案内出力を出力する。コンピュータは、第一の進路と第二の進路とが合致しない場合に第二の案内出力を出力する。コンピュータは、案内出力を出力する際に、第一の案内出力と第二の案内出力とを異なる案内出力にする。
2018025385.tif 000002
【特許請求の範囲】
【請求項１】
入力された目的地から経路と前記目的地の住所とを抽出し、
車両の現在位置に基づいて、車両が前記目的地に至るまでに通過する前記経路上の分岐地点についての案内標識を特定し、
前記分岐地点に対応付けた案内標識と前記案内標識に含まれる各進路に対応付けた地名とを記憶する記憶部を参照して、前記分岐地点について前記経路から特定される第一の進路と、前記目的地の住所に含まれる地名と一致する前記案内標識に表示された地名に対応する第二の進路とが合致する場合における第一の案内出力と、前記分岐地点について前記経路から特定される第一の進路と、前記目的地の住所に含まれる地名と一致する前記案内標識に表示された地名に対応する第二の進路とが合致しない場合における第二の案内出力とを異なる案内出力にする、
処理をコンピュータに実行させることを特徴とする経路案内プログラム。
【請求項２】
前記第二の案内出力は、前記第二の進路よりも前記第一の進路を優先する旨の案内出力である、
ことを特徴とする請求項１に記載の経路案内プログラム。
【請求項３】
前記異なる案内出力にする処理は、前記第二の案内出力とともに、注意喚起を促す音声および画面表示のうち、１つ以上を出力する、
ことを特徴とする請求項１に記載の経路案内プログラム。
【請求項４】
入力された目的地から経路と前記目的地の住所とを抽出し、
車両の現在位置に基づいて、車両が前記目的地に至るまでに通過する前記経路上の分岐地点についての案内標識を特定し、
前記分岐地点に対応付けた案内標識と前記案内標識に含まれる各進路に対応付けた地名とを記憶する記憶部を参照して、前記分岐地点について前記経路から特定される第一の進路と、前記目的地の住所に含まれる地名と一致する前記案内標識に表示された地名に対応する第二の進路とが合致する場合における第一の案内出力と、前記分岐地点について前記経路から特定される第一の進路と、前記目的地の住所に含まれる地名と一致する前記案内標識に表示された地名に対応する第二の進路とが合致しない場合における第二の案内出力とを異なる案内出力にする、
処理をコンピュータが実行することを特徴とする経路案内方法。
【請求項５】
入力された目的地から経路と前記目的地の住所とを抽出する抽出部と、
車両の現在位置に基づいて、車両が前記目的地に至るまでに通過する前記経路上の分岐地点についての案内標識を特定する特定部と、
前記分岐地点に対応付けた案内標識と前記案内標識に含まれる各進路に対応付けた地名とを記憶する記憶部を参照して、前記分岐地点について前記経路から特定される第一の進路と、前記目的地の住所に含まれる地名と一致する前記案内標識に表示された地名に対応する第二の進路とが合致する場合における第一の案内出力と、前記分岐地点について前記経路から特定される第一の進路と、前記目的地の住所に含まれる地名と一致する前記案内標識に表示された地名に対応する第二の進路とが合致しない場合における第二の案内出力とを異なる案内出力にする案内出力部と、
を有することを特徴とする情報処理装置。
【発明の詳細な説明】
【技術分野】
【０００１】
本発明は、経路案内プログラム、経路案内方法および情報処理装置に関する。
【背景技術】
【０００２】
カーナビゲーションシステムは、車両に搭載されて、ドライバーが知らない土地でも目的地に到達する経路を音声や画面表示により案内する。カーナビゲーションシステムは、例えば、車両が交差点に差し掛かると、目的地への経路に応じた進路を案内する。
【先行技術文献】
【特許文献】
【０００３】
【特許文献１】特開２００９−２５７７９６号公報
【発明の概要】
【発明が解決しようとする課題】
【０００４】
しかしながら、交差点の案内標識に記載された目的地への進路と、カーナビゲーションシステムが案内する目的地への進路とが異なっている場合がある。この場合、ドライバーは、案内標識とカーナビゲーションシステムの経路案内とが矛盾しているので、どちらが正しいのか混乱してしまい、例えば、前方不注意等の事故リスクが増大する場合がある。【０００５】
一つの側面では、本発明は、案内標識と経路案内の矛盾による事故リスクを低減できる経路案内プログラム、経路案内方法および情報処理装置を提供することにある。
【課題を解決するための手段】
【０００６】
一つの態様では、経路案内プログラムは、コンピュータに以下の各処理を実行させる。コンピュータは、入力された目的地から経路と目的地の住所とを抽出する。コンピュータは、車両の現在位置に基づいて、車両が目的地に至るまでに通過する経路上の分岐地点についての案内標識を特定する。コンピュータは、記憶部に分岐地点に対応付けた案内標識と案内標識に含まれる各進路に対応付けた地名とを記憶する。コンピュータは、記憶部を参照して、分岐地点について経路から特定される第一の進路と、目的地の住所に含まれる地名と一致する案内標識に表示された地名に対応する第二の進路とが合致する場合に第一の案内出力を出力する。コンピュータは、記憶部を参照して、分岐地点について経路から特定される第一の進路と、目的地の住所に含まれる地名と一致する案内標識に表示された地名に対応する第二の進路とが合致しない場合に第二の案内出力を出力する。コンピュータは、案内出力を出力する際に、第一の案内出力と、第二の案内出力とを異なる案内出力にする。
【発明の効果】
【０００７】
案内標識と経路案内の矛盾による事故リスクを低減できる。
【図面の簡単な説明】
【０００８】
【図１】図１は、実施例の経路案内システムの構成の一例を示すブロック図である。
【図２】図２は、案内標識記憶部の一例を示す図である。
【図３】図３は、注意喚起画面の一例を示す図である。
【図４】図４は、実施例の経路案内処理の一例を示すフローチャートである。
【図５】図５は、現在位置から目的地までの経路の一例を示す図である。
【図６】図６は、案内標識の一例を示す図である。
【図７】図７は、案内標識の他の一例を示す図である。
【図８】図８は、案内標識の他の一例を示す図である。
【図９】図９は、案内標識の他の一例を示す図である。
【図１０】図１０は、案内標識の他の一例を示す図である。
【図１１】図１１は、案内標識の他の一例を示す図である。
【図１２】図１２は、案内標識の他の一例を示す図である。
【図１３】図１３は、案内標識の他の一例を示す図である。
【図１４】図１４は、案内標識の他の一例を示す図である。
【図１５】図１５は、案内標識の他の一例を示す図である。
【図１６】図１６は、案内標識の他の一例を示す図である。
【図１７】図１７は、案内標識の他の一例を示す図である。
【図１８】図１８は、案内標識の他の一例を示す図である。
【図１９】図１９は、案内標識の他の一例を示す図である。
【図２０】図２０は、経路案内プログラムを実行するコンピュータの一例を示す図である。
【発明を実施するための形態】
【０００９】
以下、図面に基づいて、本願の開示する経路案内プログラム、経路案内方法および情報処理装置の実施例を詳細に説明する。なお、本実施例により、開示技術が限定されるものではない。また、以下の実施例は、矛盾しない範囲で適宜組みあわせてもよい。
【実施例】
【００１０】
図１は、実施例の経路案内システムの構成の一例を示すブロック図である。図１に示す経路案内システム１は、端末装置１０と、情報処理装置１００とを有する。なお、図１には、システムが１つの端末装置１０および情報処理装置１００を有する場合を示したが、端末装置１０および情報処理装置１００の数は限定されず、経路案内システム１は、任意の数の端末装置１０および情報処理装置１００を有してもよい。【００１１】
端末装置１０および情報処理装置１００の間は、ネットワークＮを介して相互に通信可能に接続される。かかるネットワークＮには、有線または無線を問わず、インターネットを始め、ＬＡＮ（Local  Area  Network）やＶＰＮ（Virtual  Private  Network）などの任意の種類の通信網を採用できる。【００１２】
経路案内システム１は、車両に搭載される端末装置１０で入力された目的地と現在位置とが情報処理装置１００に送信され、情報処理装置１００で経路探索等を行って経路案内に係る情報が端末装置１０に送信されるカーナビゲーションシステムの一例である。端末装置１０は、情報処理装置１００から取得した経路案内に係る情報と、ＧＰＳ（Global  Positioning  System）等で測位した位置情報とに基づいて、車両のドライバーに経路案内を行う情報処理装置である。情報処理装置１００は、端末装置１０から取得した現在位置の位置情報および目的地に基づいて経路探索を行い、経路と、経路上の各分岐地点における案内出力とを端末装置１０に送信する情報処理装置である。【００１３】
情報処理装置１００は、入力された目的地から経路と目的地の住所とを抽出する。情報処理装置１００は、車両の現在位置に基づいて、車両が目的地に至るまでに通過する経路上の分岐地点についての案内標識を特定する。情報処理装置１００は、記憶部に分岐地点に対応付けた案内標識と案内標識に含まれる各進路に対応付けた地名とを記憶する。情報処理装置１００は、記憶部を参照して、分岐地点について経路から特定される第一の進路と、目的地の住所に含まれる地名と一致する案内標識に表示された地名に対応する第二の進路とが合致する場合に第一の案内出力を出力する。情報処理装置１００は、記憶部を参照して、分岐地点について経路から特定される第一の進路と、目的地の住所に含まれる地名と一致する案内標識に表示された地名に対応する第二の進路とが合致しない場合に第二の案内出力を出力する。情報処理装置１００は、案内出力を出力する際に、第一の案内出力と、第二の案内出力とを異なる案内出力にする。これにより、情報処理装置１００は、案内標識と経路案内の矛盾による事故リスクを低減できる。【００１４】
次に、端末装置１０の構成について説明する。図１に示すように、端末装置１０は、通信部１１と、制御部１２と、表示部１３と、操作部１４とを有する。なお、端末装置１０は、図１に示す機能部以外にも、例えば各種の入力デバイスや音声出力デバイス等の機能部を有することとしてもかまわない。【００１５】
通信部１１は、例えば、第３世代移動通信システム、ＬＴＥ（Long  Term  Evolution）等の携帯電話回線および無線ＬＡＮ等の通信モジュール等によって実現される。通信部１１は、ネットワークＮを介して情報処理装置１００と無線で接続され、情報処理装置１００との間で情報の通信を司る通信インタフェースである。通信部１１は、制御部１２から入力された現在位置の位置情報および目的地を情報処理装置１００に送信する。また、通信部１１は、情報処理装置１００から経路および各分岐地点の案内出力を受信する。通信部１１は、受信した経路および各分岐地点の案内出力を制御部１２に出力する。【００１６】
制御部１２は、例えば、ＣＰＵ（Central  Processing  Unit）やＭＰＵ（Micro  Processing  Unit）等によって、内部の記憶装置に記憶されているプログラムがＲＡＭ（Random  Access  Memory）を作業領域として実行されることにより実現される。また、制御部１２は、例えば、ＡＳＩＣ（Application  Specific  Integrated  Circuit）やＦＰＧＡ（Field  Programmable  Gate  Array）等の集積回路により実現されるようにしてもよい。【００１７】
制御部１２は、例えば、端末装置１０のユーザであるドライバーから、目的地の入力を、操作部１４を介して受け付ける。制御部１２は、目的地の入力を受け付けると、通信部１１およびネットワークＮを介して、情報処理装置１００に対して端末装置１０が搭載された車両の現在位置の位置情報と、目的地とを送信する。なお、端末装置１０が搭載された車両の現在位置の位置情報は、例えば、図示しないＧＰＳ受信機を用いて取得する。【００１８】
また、制御部１２は、情報処理装置１００から、ネットワークＮおよび通信部１１を介して、経路および各分岐地点の案内出力を受信する。制御部１２は、経路および各分岐地点の案内出力を受信すると、経路に基づく案内情報を表示部１３に表示する。また、制御部１２は、車両が分岐地点に差し掛かると、当該分岐地点における案内出力を表示部１３に表示するとともに、当該分岐地点の案内出力の音声を図示しないスピーカに出力する。【００１９】
制御部１２は、車両が分岐地点に差し掛かった際に、経路に基づく第一の進路と、道路標識の地名に基づく第二の進路とが合致する場合には、第一の進路、つまり第二の進路に進む旨の第一の案内出力を表示部１３に表示する。また、制御部１２は、第一の案内出力の音声を図示しないスピーカに出力する。これに対し、制御部１２は、第一の進路と、第二の進路とが合致しない場合には、第一の進路に進む旨の第二の案内出力を表示部１３に表示する。また、制御部１２は、第二の案内出力の音声を図示しないスピーカに出力する。このとき、第二の案内出力は、ドライバーに対して、経路案内の進路と、案内標識の進路とが異なるが、経路案内の進路を進むように注意喚起を行うものである。【００２０】
なお、制御部１２は、車両の現在位置の位置情報を所定の時間間隔で定期的に情報処理装置１００に送信して、車両の現在位置に近い分岐地点の案内出力を情報処理装置１００から受信するようにしてもよい。なお、所定の時間間隔は、例えば、１分ごととすることができる。また、制御部１２は、車両の現在位置の位置情報を所定の時間間隔で定期的に情報処理装置１００に送信して、経路および各分岐地点の案内出力を更新するようにしてもよい。【００２１】
表示部１３は、各種情報を表示するための表示デバイスである。表示部１３は、例えば、表示デバイスとして液晶ディスプレイ等によって実現される。表示部１３は、制御部１２から入力された表示画面等の各種画面を表示する。【００２２】
操作部１４は、端末装置１０のユーザであるドライバーから各種操作を受け付ける入力デバイスである。操作部１４は、例えば、入力デバイスとして、タッチパネル等によって実現される。この場合、操作部１４の入力デバイスは、表示部１３の表示デバイスの一例である液晶ディスプレイと一体化されるようにしてもよい。操作部１４は、ドライバーによって入力された操作を操作情報として制御部１２に出力する。なお、操作部１４は、スイッチやリモートコントローラ等の他の入力デバイスによって実現されるようにしてもよい。【００２３】
続いて、情報処理装置１００の構成について説明する。図１に示すように、情報処理装置１００は、通信部１１０と、表示部１１１と、操作部１１２と、記憶部１２０と、制御部１３０とを有する。なお、情報処理装置１００は、図１に示す機能部以外にも、例えば各種の入力デバイスや音声出力デバイス等の機能部を有することとしてもかまわない。【００２４】
通信部１１０は、例えば、第３世代移動通信システム、ＬＴＥ等の携帯電話回線および無線ＬＡＮ等の通信モジュール等によって実現される。通信部１１０は、ネットワークＮを介して端末装置１０と無線で接続され、端末装置１０との間で情報の通信を司る通信インタフェースである。通信部１１０は、端末装置１０から現在位置の位置情報および目的地を受信する。通信部１１０は、受信した現在位置の位置情報および目的地を制御部１３０に出力する。また、通信部１１０は、制御部１３０から入力された経路および各分岐地点の案内出力を端末装置１０に送信する。【００２５】
表示部１１１は、各種情報を表示するための表示デバイスである。表示部１１１は、例えば、表示デバイスとして液晶ディスプレイ等によって実現される。表示部１１１は、制御部１３０から入力された表示画面等の各種画面を表示する。【００２６】
操作部１１２は、情報処理装置１００の管理者から各種操作を受け付ける入力デバイスである。操作部１１２は、例えば、入力デバイスとして、キーボードやマウス等によって実現される。操作部１１２は、管理者によって入力された操作を操作情報として制御部１３０に出力する。なお、操作部１１２は、入力デバイスとして、タッチパネル等によって実現されるようにしてもよく、表示部１１１の表示デバイスと、操作部１１２の入力デバイスとは、一体化されるようにしてもよい。【００２７】
記憶部１２０は、例えば、ＲＡＭ、フラッシュメモリ（Flash  Memory）等の半導体メモリ素子、ハードディスクや光ディスク等の記憶装置によって実現される。記憶部１２０は、地図データベース１２１（以下、地図ＤＢ１２１ともいう。）と、案内標識記憶部１２２とを有する。また、記憶部１２０は、制御部１３０での処理に用いる情報を記憶する。【００２８】
地図ＤＢ１２１は、端末装置１０から取得した現在位置の位置情報と目的地とに基づいて、目的地までの経路を検索するための地図データベースである。また、地図ＤＢ１２１は、地図に対応付けられた住所を記憶する。【００２９】
案内標識記憶部１２２は、分岐地点に対応付けられた案内標識の情報を記憶する。図２は、案内標識記憶部の一例を示す図である。図２に示すように、案内標識記憶部１２２は、「分岐地点ＩＤ（IDentifier）」、「道路」、「案内標識ＩＤ」、「案内標識」、「重要地」、「主要地または重要地」、「左側」、「右側」といった項目を有する。【００３０】
「分岐地点ＩＤ」は、地図ＤＢ１２１から抽出された経路上における道路の分岐地点を識別する識別子である。「道路」は、分岐地点において経路が通る道路の名称を示す情報である。「案内標識ＩＤ」は、分岐地点に関する案内標識を識別する識別子である。「案内標識」は、案内標識の種別を示す情報である。「重要地」は、案内標識において、直進方向の最も近い基準地または重要地を示す情報である。「主要地または重要地」は、案内標識において、直進方向の最も近い主要地または重要地を示す情報である。「左側」は、案内標識において、直進方向よりも左側にある主要地等を示す情報である。「右側」は、案内標識において、直進方向よりも右側にある主要地等を示す情報である。なお、案内標識によっては、重要地、左側および右側は表示されない場合がある。【００３１】
図２の１行目の例では、分岐地点ＩＤ「Ｂ００１」における「国道１５号」の案内標識ＩＤ「Ｂ００１−１」は、案内標識の種別が「１０８−Ａ」であり、直進方向に「横浜」および「川崎」が表示されることを示す。また、図２の１行目の例では、左折方向に「羽田」が表示され、右折方向に「下丸子」が表示されることを示す。【００３２】
図１の説明に戻って、制御部１３０は、例えば、ＣＰＵやＭＰＵ等によって、内部の記憶装置に記憶されているプログラムがＲＡＭを作業領域として実行されることにより実現される。また、制御部１３０は、例えば、ＡＳＩＣやＦＰＧＡ等の集積回路により実現されるようにしてもよい。制御部１３０は、抽出部１３１と、特定部１３２と、案内出力部１３３とを有し、以下に説明する情報処理の機能や作用を実現または実行する。なお、制御部１３０の内部構成は、図１に示した構成に限られず、後述する情報処理を行う構成であれば他の構成であってもよい。【００３３】
抽出部１３１は、ネットワークＮおよび通信部１１０を介して、端末装置１０から現在位置の位置情報および目的地を受信する。抽出部１３１は、地図ＤＢ１２１を参照し、受信して入力された現在位置の位置情報および目的地に基づいて、目的地への経路と目的地の住所とを抽出する。すなわち、抽出部１３１は、現在位置の位置情報および目的地に基づいて、現在位置から目的地への経路探索を行って、目的地への経路と目的地の住所とを抽出する。抽出部１３１は、抽出した経路および目的地の住所と、現在位置の位置情報とを、特定部１３２および案内出力部１３３に出力する。【００３４】
特定部１３２は、抽出部１３１から経路および目的地の住所と、現在位置の位置情報とが入力されると、地図ＤＢ１２１を参照し、車両が目的地に至るまでに通過する経路上の分岐地点の案内標識を特定する。特定部１３２は、特定した分岐地点の案内標識の案内標識ＩＤを案内出力部１３３に出力する。【００３５】
案内出力部１３３には、抽出部１３１から経路および目的地の住所と、現在位置の位置情報とが入力される。また、案内出力部１３３には、特定部１３２から分岐地点の案内標識ＩＤが入力される。案内出力部１３３は、案内標識記憶部１２２を参照し、経路と案内標識ＩＤとに基づき、分岐地点における経路から特定される第一の進路と、目的地の住所の地名と一致する案内標識の地名に対応する第二の進路とが合致しない分岐地点があるか否かを判定する。案内出力部１３３は、第一の進路と第二の進路とが合致しない分岐地点がない場合には、各分岐地点の案内出力を第一の案内出力に設定する。【００３６】
案内出力部１３３は、第一の進路と第二の進路とが合致しない分岐地点がある場合には、合致する分岐地点の案内出力を第一の案内出力に設定し、合致しない分岐地点の案内出力を第二の案内出力に設定する。ここで、第二の案内出力は、第二の進路よりも第一の進路を優先する旨の案内出力である。【００３７】
案内出力部１３３は、経路と、第一の案内出力または第二の案内出力が設定された各分岐地点の案内出力とを、通信部１１０およびネットワークＮを介して、端末装置１０に送信する。また、案内出力部１３３は、第二の案内出力が設定された分岐地点の案内出力として、注意喚起を促す音声および画面表示のうち１つ以上を、第二の案内出力とともに端末装置１０に送信する。【００３８】
言い換えると、案内出力部１３３は、案内標識記憶部１２２を参照して、分岐地点について経路から特定される第一の進路と、目的地の住所に含まれる地名と一致する案内標識に表示された地名に対応する第二の進路とが合致する場合に第一の案内出力を出力する。また、案内出力部１３３は、案内標識記憶部１２２を参照して、分岐地点について経路から特定される第一の進路と、目的地の住所に含まれる地名と一致する案内標識に表示された地名に対応する第二の進路とが合致しない場合に第二の案内出力を出力する。案内出力部１３３は、案内出力を出力する際に、第一の案内出力と、第二の案内出力とを異なる案内出力にする。【００３９】
ここで、図３を用いて注意喚起を促す画面表示について説明する。図３は、注意喚起画面の一例を示す図である。図３に示す表示画面２０は、情報処理装置１００から端末装置１０に送信され、端末装置１０の表示部１３に表示される注意喚起画面の一例である。表示画面２０は、分岐地点において、道路に設置されている案内標識の目的地の地名の進路と、経路案内における進路とが異なる場合に表示される。表示画面２０には、例えば、案内標識における進路が左折であり、経路案内における進路が直進である場合には、「案内標識は左折ですが、直進してください！」といったメッセージ２１と、直進を示す矢印２２とが表示される。【００４０】
次に、実施例の経路案内システム１の動作について説明する。図４は、実施例の経路案内処理の一例を示すフローチャートである。【００４１】
端末装置１０の制御部１２は、ドライバーから目的地の入力を受け付けると、情報処理装置１００に対して車両の現在位置の位置情報と、目的地とを送信する。情報処理装置１００の抽出部１３１は、端末装置１０から現在位置の位置情報および目的地を受信して取得する（ステップＳ１）。【００４２】
抽出部１３１は、地図ＤＢ１２１を参照し、取得した現在位置の位置情報および目的地に基づいて、目的地への経路と目的地の住所とを抽出する（ステップＳ２）。抽出部１３１は、抽出した経路および目的地の住所と、現在位置の位置情報とを、特定部１３２および案内出力部１３３に出力する。【００４３】
特定部１３２は、抽出部１３１から経路および目的地の住所と、現在位置の位置情報とが入力されると、地図ＤＢ１２１を参照し、車両が目的地に至るまでに通過する経路上の分岐地点の案内標識を特定する（ステップＳ３）。特定部１３２は、特定した分岐地点の案内標識の案内標識ＩＤを案内出力部１３３に出力する。【００４４】
案内出力部１３３は、案内標識記憶部１２２を参照し、経路と案内標識ＩＤとに基づいて、第一の進路と第二の進路とが合致しない分岐地点があるか否かを判定する（ステップＳ４）。案内出力部１３３は、第一の進路と第二の進路とが合致しない分岐地点がない場合には（ステップＳ４：否定）、各分岐地点の案内出力を第一の案内出力に設定する（ステップＳ５）。【００４５】
案内出力部１３３は、第一の進路と第二の進路とが合致しない分岐地点がある場合には（ステップＳ４：肯定）、合致する分岐地点の案内出力を第一の案内出力に設定し、合致しない分岐地点の案内出力を第二の案内出力に設定する（ステップＳ６）。案内出力部１３３は、経路と、第一の案内出力または第二の案内出力が設定された各分岐地点の案内出力とを、端末装置１０に送信する（ステップＳ７）。【００４６】
端末装置１０の制御部１２は、経路および各分岐地点の案内出力を受信すると、経路に基づく案内情報を表示部１３に表示する。また、制御部１２は、車両が分岐地点に差し掛かると、当該分岐地点における案内出力を表示部１３に表示するとともに、当該分岐地点の案内出力の音声を図示しないスピーカに出力する。これにより、情報処理装置１００は、案内標識と経路案内の矛盾による事故リスクを低減できる。【００４７】
続いて、図５から図１９を用いて、経路案内処理の具体例を説明する。図５は、現在位置から目的地までの経路の一例を示す図である。図５に示す地図３０には、ある車両の現在位置３１から目的地３２までの経路３３の一例を示す。当該車両は、現在位置３１である国道１５号線の蒲田付近から、目的地３２である横浜市内の市ヶ尾に移動しようとしている。この場合において、経路３３上のＡ地点からＦ地点における案内標識と、経路案内とについて、経路３３に沿って説明する。【００４８】
図６は、案内標識の一例を示す図である。また、図７から図１９は、案内標識の他の一例を示す図である。当該車両の端末装置１０には、現在位置３１を出発する際に、ドライバーから目的地として「市ヶ尾」が入力される。端末装置１０は、情報処理装置１００に対して車両の現在位置の位置情報「蒲田」と、目的地「市ヶ尾」とを送信する。情報処理装置１００は、端末装置１０から現在位置の位置情報「蒲田」および目的地「市ヶ尾」を受信する。情報処理装置１００は、経路検索、経路３３における分岐地点の案内標識の抽出、および、各分岐地点の案内出力の設定を行い、経路３３と各分岐地点の案内出力とを端末装置１０に送信する。【００４９】
端末装置１０は、経路３３および各分岐地点の案内出力を受信すると、経路３３に基づく案内情報を表示部１３に表示して、経路案内を開始する。ドライバーは、経路案内が開始されると、車両を目的地「市ヶ尾」に向けて出発させる。【００５０】
車両がＡ地点に差し掛かると、図６に示す案内標識Ｂ００１−１が見えてくる。さらに車両が進むと、図７に示す案内標識Ｂ００１−２、および、図８に示す案内標識Ｂ００１−３が見えてくる。案内標識Ｂ００１−２と案内標識Ｂ００１−３とは、同じ歩道橋に設置され、左側に分岐する車線が案内標識Ｂ００１−２に対応し、直進する車線が案内標識Ｂ００１−３に対応するものとする。このとき、経路３３から特定される第一の進路は直進、案内標識Ｂ００１−１および案内標識Ｂ００１−３における目的地の住所に含まれる地名「横浜」に対応する第二の進路は直進である。従って、第一の進路と第二の進路とは合致しており、分岐地点の案内出力は、通常の経路案内である第一の案内出力となる。この場合における第一の案内出力は、例えば「この先、直進です。」といった案内である。【００５１】
車両がＢ地点に差し掛かると、まず、図９に示す案内標識Ｂ００２−１と、図１０に示す案内標識Ｂ００２−２とが見えてくる。案内標識Ｂ００２−１と案内標識Ｂ００２−２とは、同じ門型支柱に設置され、３車線のうち、一番左側の車線が案内標識Ｂ００２−２に対応するものとする。また、Ｂ地点は、立体交差の交差点であり、右左折するためにランプが設けられ、立体交差下の交差点近傍に、図１１に示す案内標識Ｂ００２−３があるものとする。このとき、経路３３から特定される第一の進路は本線からランプを通って立体交差下の交差点を右折、案内標識Ｂ００２−１の地名「横浜」に対応する第二の進路は直進である。【００５２】
すなわち、Ｂ地点では、経路案内では、例えば「斜め左に進んで、その先の交差点を右折です。」といった案内であり、案内標識Ｂ００２−１および案内標識Ｂ００２−３の「横浜」は直進であるので、案内標識の進路と経路案内の進路とが矛盾する。このため、ドライバーは、どちらに進んでよいか混乱してしまい、事故リスクが増大する場合がある。また、ドライバーが案内標識に従って直進した場合、図５中の点線３４で示すように「横浜」の中心地である横浜駅方面に向かって進んでしまい、「市ヶ尾」に向うには遠回りになってしまう場合がある。【００５３】
つまり、Ｂ地点では、第一の進路と第二の進路とは合致していないため、分岐地点の案内出力は、注意喚起を行う第二の案内出力となる。この場合における第二の案内出力は、例えば「案内標識は直進ですが、斜め左に進んで、その先の交差点を右折です。」といった案内である。また、端末装置１０では、注意喚起画面を表示して警告音声を流すようにしてもよい。さらに、第二の案内出力は、例えば「案内標識は直進ですが、斜め左、小杉方面に進み、その先の交差点を右折して小杉方面に進んでください。」といったように、経由地の地名を含めてもよい。【００５４】
その後、車両がＢ地点で国道１５号線から国道４０９号線に右折して暫く進み、Ｃ地点に差し掛かると、図１２に示す案内標識Ｂ０１１−１が見えてくる。さらに車両が進むと、図１３に示す案内標識Ｂ０１１−２、図１４に示す案内標識Ｂ０１１−３、および、図１５に示す案内標識Ｂ０１１−４が見えてくる。なお、案内標識Ｂ０１１−２と、案内標識Ｂ０１１−３と、案内標識Ｂ０１１−４とは、同じ歩道橋に設置され、３車線のうち、左から順に、案内標識Ｂ０１１−２、案内標識Ｂ０１１−３、および、案内標識Ｂ０１１−４に対応するものとする。このとき、経路３３から特定される第一の進路は直進、案内標識Ｂ０１１−１および案内標識Ｂ０１１−２の地名「横浜」に対応する第二の進路は左折である。【００５５】
つまり、Ｃ地点では、第一の進路と第二の進路とは合致していないため、分岐地点の案内出力は、注意喚起を行う第二の案内出力となる。この場合における第二の案内出力は、例えば「案内標識は左折ですが、直進してください。」といった案内である。また、Ｂ地点と同様に、端末装置１０では、注意喚起画面を表示して警告音声を流すようにしてもよい。さらに、第二の案内出力は、例えば「案内標識は左折ですが、小杉方面に直進してください。」といったように、経由地の地名を含めてもよい。なお、Ｃ地点では、Ｂ地点と同様に、ドライバーが案内標識に従って左折した場合、図５中の点線３５で示すように「横浜」の中心地である横浜駅方面に向かって進んでしまい、「市ヶ尾」に向うには遠回りになってしまう場合がある。【００５６】
さらに、車両が経路３３を進み、Ｄ地点に差し掛かると、図１６に示す案内標識Ｂ０２１−１が見えてくる。このとき、経路３３から特定される第一の進路は左折である。また、案内標識Ｂ０２１−１の左折側の地名「厚木」および「東名」は、横浜とは異なるが神奈川県方面であり、直進側の地名「府中」および「稲城」と、右折側の地名「渋谷」は、東京都方面である。このため、ドライバーは、「厚木」方面が横浜に近いと判断する可能性が高いので、案内標識Ｂ０２１−１の地名「厚木」に対応する第二の進路は左折である。従って、第一の進路と第二の進路とは合致しており、分岐地点の案内出力は、通常の経路案内である第一の案内出力となる。この場合における第一の案内出力は、例えば「この先、左折です。」といった案内である。【００５７】
車両がＤ地点で国道４０９号線から国道２４６号線に左折してＥ地点に差し掛かると、図１７に示す案内標識Ｂ０２２−１が見えてくる。案内標識Ｂ０２２−１には、直進方向に「厚木」および目的地の「市ヶ尾」が表示されている。このとき、経路３３から特定される第一の進路は直進、案内標識Ｂ０２２−１における目的地の住所に含まれる地名「市ヶ尾」に対応する第二の進路は直進である。従って、第一の進路と第二の進路とは合致しており、分岐地点の案内出力は、通常の経路案内である第一の案内出力となる。この場合における第一の案内出力は、例えば「この先、直進です。」といった案内である。【００５８】
その後、車両が経路３３を進み、Ｆ地点に差し掛かると、図１８に示す案内標識Ｂ０２５−１が見えてくる。さらに車両が進むと、図１９に示す案内標識Ｂ０２５−２が見えてくる。案内標識Ｂ０２５−１および案内標識Ｂ０２５−２には、直進方向に「厚木」および目的地の「市ヶ尾」が表示されている。このとき、経路３３から特定される第一の進路は直進、案内標識Ｂ０２５−１および案内標識Ｂ０２５−２における目的地の住所に含まれる地名「市ヶ尾」に対応する第二の進路は直進である。従って、第一の進路と第二の進路とは合致しており、分岐地点の案内出力は、通常の経路案内である第一の案内出力となる。この場合における第一の案内出力は、例えば「この先、直進です。」といった案内である。その後、端末装置１０は、同様に経路案内を行って、車両が市ヶ尾に到着すると、経路案内を終了する。【００５９】
このように、情報処理装置１００は、入力された目的地から経路と目的地の住所とを抽出する。また、情報処理装置１００は、車両の現在位置に基づいて、車両が目的地に至るまでに通過する経路上の分岐地点についての案内標識を特定する。また、情報処理装置１００は、案内標識記憶部１２２に分岐地点に対応付けた案内標識と案内標識に含まれる各進路に対応付けた地名とを記憶する。また、情報処理装置１００は、案内標識記憶部１２２を参照して、分岐地点について経路から特定される第一の進路と、目的地の住所に含まれる地名と一致する案内標識に表示された地名に対応する第二の進路とが合致する場合に第一の案内出力を出力する。また、情報処理装置１００は、案内標識記憶部１２２を参照して、分岐地点について経路から特定される第一の進路と、目的地の住所に含まれる地名と一致する案内標識に表示された地名に対応する第二の進路とが合致しない場合に第二の案内出力を出力する。また、情報処理装置１００は、案内出力を出力する際に、第一の案内出力と、第二の案内出力とを異なる案内出力にする。その結果、案内標識と経路案内の矛盾による事故リスクを低減できる。【００６０】
また、情報処理装置１００では、第二の案内出力は、第二の進路よりも第一の進路を優先する旨の案内出力である。その結果、ドライバーの混乱を抑止できる。【００６１】
また、情報処理装置１００は、第二の案内出力とともに、注意喚起を促す音声および画面表示のうち、１つ以上を出力する。その結果、よりドライバーの混乱を抑止できる。【００６２】
なお、上記実施例では、情報処理装置１００において経路探索を行ったが、これに限定されない。例えば、経路探索を行う他の情報処理装置を監視し、他の情報処理装置で行った経路探索の結果である経路と目的地とを取得して、取得した経路と目的地とに基づいて、経路案内処理を行ってもよい。【００６３】
また、上記実施例では、各分岐地点の案内出力を出発時に設定したが、これに限定されない。例えば、移動する現在位置に基づいて、現在位置に近づいてくる分岐地点の案内出力を、適宜設定して、情報処理装置１００から端末装置１０に送信するようにしてもよい。【００６４】
また、上記実施例では、目的地である市ヶ尾が横浜市内の中心地から離れている場合を具体例として説明したが、これに限定されない。例えば、新しい道路が開通したことにより、経路と案内標識とが異なる場合や、案内標識が生活道路を通る進路であるが、生活道路を避ける場合等でも適用できる。【００６５】
また、上記実施例では、経路案内処理を情報処理装置１００で行って、経路と、各分岐地点の案内出力とを端末装置１０に送信したが、これに限定されない。例えば、地図ＤＢ１２１および案内標識記憶部１２２を端末装置１０内に設け、端末装置１０において経路案内処理を行うようにしてもよい。【００６６】
また、図示した各部の各構成要素は、必ずしも物理的に図示の如く構成されていることを要しない。すなわち、各部の分散・統合の具体的形態は図示のものに限られず、その全部または一部を、各種の負荷や使用状況等に応じて、任意の単位で機能的または物理的に分散・統合して構成することができる。例えば、特定部１３２と案内出力部１３３とを統合してもよい。また、図示した各処理は、上記の順番に限定されるものではなく、処理内容を矛盾させない範囲において、同時に実施してもよく、順序を入れ替えて実施してもよい。【００６７】
さらに、各装置で行われる各種処理機能は、ＣＰＵ（又はＭＰＵ、ＭＣＵ（Micro  Controller  Unit）等のマイクロ・コンピュータ）上で、その全部または任意の一部を実行するようにしてもよい。また、各種処理機能は、ＣＰＵ（またはＭＰＵ、ＭＣＵ等のマイクロ・コンピュータ）で解析実行されるプログラム上、またはワイヤードロジックによるハードウェア上で、その全部または任意の一部を実行するようにしてもよいことは言うまでもない。【００６８】
ところで、上記の実施例で説明した各種の処理は、予め用意されたプログラムをコンピュータで実行することで実現できる。そこで、以下では、上記の実施例と同様の機能を有するプログラムを実行するコンピュータの一例を説明する。図２０は、経路案内プログラムを実行するコンピュータの一例を示す図である。【００６９】
図２０に示すように、コンピュータ２００は、各種演算処理を実行するＣＰＵ２０１と、データ入力を受け付ける入力装置２０２と、モニタ２０３とを有する。また、コンピュータ２００は、記憶媒体からプログラム等を読み取る媒体読取装置２０４と、各種装置と接続するためのインタフェース装置２０５と、他の情報処理装置等と有線または無線により接続するための通信装置２０６とを有する。また、コンピュータ２００は、各種情報を一時記憶するＲＡＭ２０７と、ハードディスク装置２０８とを有する。また、各装置２０１〜２０８は、バス２０９に接続される。【００７０】
ハードディスク装置２０８には、図１に示した抽出部１３１、特定部１３２および案内出力部１３３の各処理部と同様の機能を有する経路案内プログラムが記憶される。また、ハードディスク装置２０８には、地図ＤＢ１２１、案内標識記憶部１２２、および、経路案内プログラムを実現するための各種データが記憶される。入力装置２０２は、例えば、図１に示した操作部１１２と同様の機能を有し、コンピュータ２００の管理者から操作情報等の各種情報の入力を受け付ける。モニタ２０３は、例えば、コンピュータ２００の管理者に対して表示画面等の各種画面を表示する。インタフェース装置２０５は、例えば印刷装置等が接続される。通信装置２０６は、例えば、図１に示した通信部１１０と同様の機能を有し端末装置１０と接続され、端末装置１０と各種情報をやりとりする。【００７１】
ＣＰＵ２０１は、ハードディスク装置２０８に記憶された各プログラムを読み出して、ＲＡＭ２０７に展開して実行することで、各種の処理を行う。また、これらのプログラムは、コンピュータ２００を図１に示した抽出部１３１、特定部１３２および案内出力部１３３として機能させることができる。【００７２】
なお、上記の経路案内プログラムは、必ずしもハードディスク装置２０８に記憶されている必要はない。例えば、コンピュータ２００が読み取り可能な記憶媒体に記憶されたプログラムを、コンピュータ２００が読み出して実行するようにしてもよい。コンピュータ２００が読み取り可能な記憶媒体は、例えば、ＣＤ−ＲＯＭやＤＶＤディスク、ＵＳＢ（Universal  Serial  Bus）メモリ等の可搬型記録媒体、フラッシュメモリ等の半導体メモリ、ハードディスクドライブ等が対応する。また、公衆回線、インターネット、ＬＡＮ等に接続された装置にこの経路案内プログラムを記憶させておき、コンピュータ２００がこれらから経路案内プログラムを読み出して実行するようにしてもよい。
【符号の説明】
【００７３】
１  経路案内システム
１０  端末装置
１１  通信部
１２  制御部
１３  表示部
１４  操作部
１００  情報処理装置
１１０  通信部
１１１  表示部
１１２  操作部
１２０  記憶部
１２１  地図ＤＢ
１２２  案内標識記憶部
１３０  制御部
１３１  抽出部
１３２  特定部
１３３  案内出力部
Ｎ  ネットワーク
【図１】
2018025385.tif 000003
【図２】
2018025385.tif 000004
【図３】
2018025385.tif 000005
【図４】
2018025385.tif 000006
【図５】
2018025385.tif 000007
【図６】
2018025385.tif 000008
【図７】
2018025385.tif 000009
【図８】
2018025385.tif 000010
【図９】
2018025385.tif 000011
【図１０】
2018025385.tif 000012
【図１１】
2018025385.tif 000013
【図１２】
2018025385.tif 000014
【図１３】
2018025385.tif 000015
【図１４】
2018025385.tif 000016
【図１５】
2018025385.tif 000017
【図１６】
2018025385.tif 000018
【図１７】
2018025385.tif 000019
【図１８】
2018025385.tif 000020
【図１９】
2018025385.tif 000021
【図２０】
2018025385.tif 000022
【国際調査報告】
2018025385.tif 000023
2018025385.tif 000024
2018025385.tif 000025